(57)【要約】【課題】遊技機において、自装置自らに対して行われる不正行為を監視するために設ける複数の検出部各々を個別に検査可能とするとともに、複数の検出部からの信号に基づいて不正行為の監視を行う機能部での信号処理の負荷を低減する。【解決手段】遊技盤１１０の第２面側の複数の位置に配置され、自装置自らに対して行われる不正行為を検出することに応じて検出信号を出力する複数の磁気検出部１７１,１７２,１７３は、複数の磁気検出部１７１,１７２,１７３各々から出力された検出信号が合成された合成信号に基づき不正行為の有無が判断され、複数の磁気検出部１７１,１７２,１７３から出力された検出信号各々に基づき磁気検出部１７１,１７２,１７３各々が正常に動作するか否かが個別に判断される。【選択図】図６
2011172720.tif 000002
【特許請求の範囲】
【請求項１】
自装置自らに対して行われる不正行為を検出する機能を備えた遊技機であって、
第１面に複数の各種役物が配置され、当該第１面に沿って遊技球が打ち出される遊技盤と、
前記遊技盤の前記第１面とは反対面である第２面側の複数の位置に配置され、前記不正行為を検出することに応じて検出信号を出力する複数の検出部とを備え、
前記複数の検出部は、当該複数の検出部各々から出力された前記検出信号が合成された合成信号に基づき前記不正行為の有無が判断され、当該複数の検出部から出力された当該検出信号各々に基づき当該検出部各々が正常に動作するか否かが個別に判断されることを特徴とする遊技機。
【請求項２】
前記検出部は、普通図柄抽選の結果に応じて開放される普通電動役物へ向かう遊技球の通過経路における前記遊技盤の前記第２面側に配置されることを特徴とする請求項１記載の遊技機。
【請求項３】
前記検出部は、特別図柄抽選の結果に応じて開放される特別電動役物へ向かう遊技球の通過経路における前記遊技盤の前記第２面側に配置されることを特徴とする請求項１記載の遊技機。
【請求項４】
前記複数の検出部各々から出力される前記検出信号を合成して前記合成信号を生成し、当該合成信号に基づき前記不正行為を監視する監視手段をさらに備え、
前記複数の検出部は、当該遊技機の稼働状態にて前記監視手段に接続されることを特徴とする請求項２または３記載の遊技機。
【請求項５】
前記複数の検出部は、前記複数の検出部各々から出力された前記検出信号を各々個別に取得し、取得した当該検出信号の各々に基づき当該検出部各々が正常に動作するか否かを個別に検査する検査手段に接続されることを特徴とする請求項２または３記載の遊技機。
【請求項６】
前記複数の検出部は、磁気を検出するためのセンサおよび振動を検出するためのセンサの何れか一方または双方からなることを特徴とする請求項２または３記載の遊技機。
【発明の詳細な説明】
【技術分野】
【０００１】
本発明は、自装置自らに対して行われる不正行為を監視するための機構を備えたパチンコ遊技機等の遊技機に関する。
【背景技術】
【０００２】
パチンコ遊技機等の遊技機では、遊技球が始動口に入賞することにより大当たりの抽選が行われる。この大当たり抽選に当選すると、遊技機は、大入賞口が開放され、多くの賞球を獲得し得る大当たり遊技状態となる。
このような遊技機において、遊技者が遊技盤面の外部を覆うガラス板表面側から遊技盤本体に磁石を近づけ、遊技盤面に沿って落下しながら移動する遊技球の方向を変えたり、遊技球が始動口に入賞するタイミングをずらしたりして、獲得する賞球を増やす不正行為を行う場合がある。そのため、遊技機には、遊技者によるかかる不正行為を監視するための機構が取り付けられている。
【０００３】
例えば、磁石による不正行為を確実かつ速やかに発見することができる遊技機が提案されている（例えば、特許文献１参照）。特許文献１には、磁気センサと、磁気検知回路部と、遊技機に接近した磁石を検知したとき警報を発生させる警報器とからなる、遊技機本体の回路基盤に接続される不正磁気検知センサが記載されている。
【先行技術文献】
【特許文献】
【０００４】
【特許文献１】特開２００５−１３７８７７号公報
【発明の概要】
【発明が解決しようとする課題】
【０００５】
ここで一般に、遊技機に対して行われる不正行為を監視するには、遊技盤の異なる複数箇所にそれぞれ検出部（例えば、磁気検出センサ）を配置し、遊技盤面の異なる領域にて不正行為を検出することが、不正行為を発見する確実性を高める観点から好ましい。その場合に、複数の検出部の中の何れの検出部が不正行為を検出したかは重要とならない。そのため、不正行為を検出するに際し、複数の検出部各々から出力される検知信号（例えば、磁気検知信号）を個別に取得する必要はなく、むしろ複数の検知信号を１つに合成し、何れかの検出部が検知信号を出力することにより１つの検知信号が出力されるように構成する方が、検知信号に基づいて不正行為の監視を行う機能部での信号処理の負荷が低減される。しかしながら、複数の検出部各々からの検知信号を１つに合成してしまうと、何れかの検出部に異常が発生している場合に、どの検出部に異常が生じているかを検査によって識別することが困難となる。
【０００６】
本発明は、遊技機において、不正行為を監視するために設ける複数の検出部各々を個別に検査可能とするとともに、複数の検出部からの信号に基づいて不正行為の監視を行う機能部での信号処理の負荷を低減することを目的とする。
【課題を解決するための手段】
【０００７】
上記の目的を達成する本発明は、自装置自らに対して行われる不正行為を監視する機能を備えた遊技機１００であって、第１面に複数の各種役物が配置され、当該第１面に沿って遊技球が打ち出される遊技盤１１０と、前記遊技盤１１０の前記第１面とは反対面である第２面側の複数の位置に配置され、前記不正行為を検出することに応じて検出信号を出力する複数の検出部１７１,１７２,１７３とを備え、前記複数の検出部１７１,１７２,１７３は、当該複数の検出部１７１,１７２,１７３各々から出力された前記検出信号が合成された合成信号に基づき前記不正行為の有無が判断され、当該複数の検出部１７１,１７２,１７３から出力された当該検出信号各々に基づき当該検出部１７１,１７２,１７３各々が正常に動作するか否かが個別に判断される遊技機１００であることを特徴とする。
【０００８】
より好ましくは、前記検出部１７１,１７２は、普通図柄抽選の結果に応じて開放される普通電動役物１２３へ向かう遊技球の通過経路における前記遊技盤１１０の前記第２面側に配置されることができる。
また、前記検出部１７３は、特別図柄抽選の結果に応じて開放される特別電動役物１２５へ向かう遊技球の通過経路における前記遊技盤１１０の前記第２面側に配置されることを特徴とすることができる。
また、さらに詳細には、前記複数の検出部１７１,１７２,１７３各々から出力される前記検出信号を合成して前記合成信号を生成し、当該合成信号に基づき前記不正行為を監視する監視手段２００をさらに備え、前記複数の検出部１７１,１７２,１７３は、当該遊技機２００の稼働状態にて前記監視手段２００に接続されることを特徴とすることができる。
また、さらに詳細には、前記複数の検出部１７１,１７２,１７３は、前記複数の検出部１７１,１７２,１７３各々から出力された前記検出信号を各々個別に取得し、取得した当該検出信号の各々に基づき当該検出部１７１,１７２,１７３各々が正常に動作するか否かを個別に検査する検査手段５００に接続されることを特徴とすることができる。
また、さらに詳細には、前記検出部１７１,１７２,１７３は、磁気を検出するためのセンサおよび振動を検出するためのセンサの何れか一方または双方からなることを特徴とすることができる。
【０００９】
なお、本欄における上記符号は、本発明の説明に際して例示的に付したものであり、この符号により本発明が減縮されるものではない。
【発明の効果】
【００１０】
本発明によれば、遊技機において、不正行為を監視するために設ける複数の検出部各々を個別に検査可能とするとともに、複数の検出部からの信号に基づいて不正行為の監視を行う機能部での信号処理の負荷を低減することができる。
【図面の簡単な説明】
【００１１】
【図１】本実施形態に係る遊技機の一例としてのパチンコ遊技機の概略正面図である。
【図２】本実施形態のパチンコ遊技機の部分拡大図である。
【図３】本実施形態のパチンコ遊技機の制御ユニットの内部構成を示す図である。
【図４】本実施形態の遊技制御部の機能構成を示すブロック図である。
【図５】本実施形態の遊技制御部の主要動作を示すフローチャートである。
【図６】遊技制御部と各種機能部との間の配線構成の一部を説明する図である。
【図７】警告処理を実行する遊技制御部の回路構成を説明する図である。
【図８】検査装置と各種機能部との間の配線構成の一部を説明する図である。
【図９】第１磁気検出ＳＷ、第２磁気検出ＳＷ、および第３磁気検出ＳＷを検査するために用いる検査制御部内の回路構成を説明する図である。
【発明を実施するための形態】
【００１２】
以下、添付図面を参照して、本発明の実施の形態について詳細に説明する。
〔遊技機の基本構成〕
図１は、本実施の形態に係る遊技機の一例としてのパチンコ遊技機１００の概略正面図である。
図１に示すパチンコ遊技機１００は、遊技者の指示操作により打ち出された遊技球が入賞すると賞球を払い出すように構成されたものである。このパチンコ遊技機１００は、遊技球が打ち出される遊技盤１１０と、遊技盤１１０を囲む枠部材１５０とを備えている。遊技盤１１０は、枠部材１５０に着脱自在に取り付けられている。
【００１３】
遊技盤１１０は、ガラス板（不図示）で覆われた前面（第１面）に、遊技球により遊技を行うための遊技領域１１１と、下方から発射された遊技球が上昇して遊技領域１１１の上部位置へ向かう通路を形成するレール部材１１２と、遊技領域１１１の右側に遊技球を案内する案内部材１１３とを備えている。
本実施の形態では、遊技者により視認され易い遊技領域１１１の位置に、演出のための各種の画像を表示する表示手段の一例としての画像表示部１１４が配置されている。この画像表示部１１４は、液晶ディスプレイ等による表示画面を備え、遊技者によるゲームの進行に伴い、例えば、図柄抽選結果（図柄変動結果）を遊技者に報知するための装飾図柄を表示したり、キャラクタの登場やアイテムの出現による演出画像を表示したりする。
また、遊技盤１１０の前面に、各種の演出に用いられる可動役物１１５および盤ランプ１１６を備えている。可動役物１１５は、遊技盤１１０上で動作することにより各種の演出を行い、また、盤ランプ１１６は、発光することで各種の演出を行う。
【００１４】
遊技領域１１１には、遊技球が落下する方向に変化を与えるための図示しない遊技くぎおよび風車等が配置されている。また、遊技領域１１１には、入賞や抽選に関する種々の役物が所定の位置に配置されている。また、遊技領域１１１には、遊技領域１１１に打ち出された遊技球のうち入賞口に入賞しなかったものを遊技領域１１１の外に排出する排出口１１７が配置されている。
【００１５】
本実施の形態では、入賞や抽選に関する種々の役物として、遊技球が入ると入賞して特別図柄抽選（大当たり抽選）が始動する第１始動口１２１および第２始動口１２２と、遊技球が通過すると普通図柄抽選（開閉抽選）が始動するゲート１２４と、が遊技盤１１０に配置されている。ここでの第１始動口１２１および第２始動口１２２とは、予め定められた１の特別図柄表示器を作動させることとなる遊技球の入賞に係る入賞口をいう。
第２始動口１２２は、チューリップの花の形をした一対の羽根が電動ソレノイドにより開閉するとともに点灯する普通電動役物としての電動チューリップ１２３を備えている。電動チューリップ１２３は、羽根が閉じていると、遊技球が第２始動口１２２へ入り難い一方で、羽根が開くと第２始動口１２２の入口が拡大して遊技球が第２始動口１２２へ入り易くなるように構成されている。そして、電動チューリップ１２３は、普通図柄抽選に当選すると、点灯ないし点滅しながら羽根が規定時間（例えば６秒間）および規定回数（例えば３回）だけ開く。
【００１６】
なお、パチンコ遊技機１００は、所定の条件下で、特別図柄抽選において大当たりに当選する大当たり確率が変動する場合（低確状態（例えば３００分の１）から高確状態（例えば３０分の１）への変動）がある。また、パチンコ遊技機１００は、所定の条件下で、特別図柄抽選時の特別図柄変動時間が短縮されたり、普通図柄抽選時の当選する確率が高まったり、普通図柄抽選時の普通図柄変動時間が短縮されたり、電動チューリップ１２３の羽根の開時間が延長されたり、電動チューリップ１２３の羽根が開く回数が増えたりする場合がある。
【００１７】
また、本実施の形態では、入賞や抽選に関するその他の役物として、特別図柄抽選の結果に応じて開放する特別電動役物としての大入賞口１２５と、遊技球が入賞しても抽選が始動しない右普通入賞口１２６ａおよび左普通入賞口１２６ｂと、が遊技盤１１０に配置されている。
なお、本実施の形態では、遊技領域１１１に第１始動口１２１および第２始動口１２２が配置されているが、いずれか一方のみを配置する構成やさらに他の始動口を配置する構成を用いてもよい。また、本実施の形態では、遊技領域１１１に大入賞口１２５が１つ配置されているが、大入賞口１２５を複数配置する構成を用いてもよい。
本実施の形態では、遊技盤１１０の右下の位置に、抽選結果や保留数に関する表示を行う表示器１３０が配置されている。
【００１８】
また、遊技盤１１０の裏面には、内部抽選および当選の判定等を行う遊技制御基板、演出を統括的に制御する演出制御基板、画像および音による演出を制御する画像制御基板、各種のランプおよび可動役物１１５による演出を制御するランプ制御基板などの図示しない各種の基板等が取り付けられる。また、遊技盤１１０の裏面には、供給された２４ＶのＡＣ電源をＤＣ電源に変換して各種の基板等に出力するスイッチング電源（不図示）が配置されている。
【００１９】
さらに、本実施の形態では、ゲート１２４を通過する遊技球の通過経路に沿ったゲート１２４の上部位置、および電動チューリップ１２３の近傍位置における遊技盤１１０の裏面側に、遊技盤１１０前面のガラス板（不図示）越しに近づけられる磁石等の磁界発生体からの磁気（磁界）を検出する第１磁気検出部（第１磁気検出スイッチ（ＳＷ））１７１および第２磁気検出部（第２磁気検出スイッチ（ＳＷ））１７２が配置されている。また、大入賞口１２５に向かう遊技球の通過経路に沿った大入賞口１２５の近傍位置における遊技盤１１０の裏面側に、遊技盤１１０前面のガラス板越しに近づけられる磁界発生体からの磁気を検出する第３磁気検出部（第３磁気検出スイッチ（ＳＷ））１７３が配置されている。
【００２０】
ここで、ゲート１２４は、遊技球が通過することにより電動チューリップ１２３の開閉抽選（普通図柄抽選）を始動させる役物である。そして、普通図柄抽選での当選によって規定時間および規定回数だけ開放される電動チューリップ１２３は、遊技球を第２始動口１２２へ入り易くさせる役物である。そのため、磁石等の磁界発生体がゲート１２４を通過する遊技球の通過経路に沿った位置（例えば、ゲート１２４の上部位置および下部位置の一方または双方）に近接して置かれると、遊技球がゲート１２４の通過経路に導かれ易くなる。それにより、電動チューリップ１２３を開放させるための普通図柄抽選の抽選回数が増え、それに伴って普通図柄抽選の当選回数も増加して電動チューリップ１２３の開放回数も多くなる。そうなると、遊技球が第２始動口１２２に入賞することによって特別図柄抽選が行われる回数が増えて、遊技者が不正な利益を得る可能性が高まることとなる。
また、電動チューリップ１２３に向かう遊技球の通過経路（例えば、電動チューリップ１２３の上部位置）に近接して置かれると、遊技球が電動チューリップ１２３に導かれ易くなる。それにより、遊技球が第２始動口１２２に入賞することによって特別図柄抽選が行われる回数が増えて、遊技者が不正な利益を得る可能性が高まることとなる。
【００２１】
また、大入賞口１２５は、特別図柄抽選に当選すると、後述するように、経過時間または入賞遊技球数によって定められた所定条件を満たすまで開状態を維持するラウンドを所定回数だけ繰り返す。そのため、磁石等の磁界発生体が大入賞口１２５に向かう遊技球の通過経路（例えば、大入賞口１２５のゲート１２４側の位置）に近接して置かれることにより、遊技球が大入賞口１２５に導かれ易くなる。それにより、経過時間ではなく入賞遊技球数によって定められた所定条件を満たすことで閉止するラウンドが増加し、遊技者が不正な利益を得る可能性が高まることとなる。
【００２２】
そこで、本実施の形態のパチンコ遊技機１００においては、ゲート１２４の上部位置、電動チューリップ１２３の近傍位置、および大入賞口１２５の近傍位置における遊技盤１１０の裏面（前面（第１面）とは反対面である第２面）側に、それぞれ第１磁気検出ＳＷ１７１、第２磁気検出ＳＷ１７２、および第３磁気検出ＳＷ１７３を配置している。それにより、遊技球がゲート１２４を通過し、または遊技球が大入賞口１２５に入賞するように遊技球の移動方向を誘導する磁界発生体（磁石等）による不正行為を監視している。
なお、第１磁気検出ＳＷ１７１、第２磁気検出ＳＷ１７２、および第３磁気検出ＳＷ１７３は、遊技制御基板上の遊技制御部２００に設けられたＣＰＵ２０１（後段の図３参照）に接続されている。そして、ＣＰＵ２０１は、第１磁気検出ＳＷ１７１、第２磁気検出ＳＷ１７２、または第３磁気検出ＳＷ１７３から出力される検出信号の一例としての磁気検出信号を受信することで、遊技者による磁界発生体（磁石等）を用いた不正行為を認識し、所定の警告処理を制御する。
また、「遊技者による遊技に関する不正行為」とは、遊技のためにパチンコ遊技機１００に対して行う操作以外の不正な操作や手段等により、獲得する賞球を増やそうとする行為をいう。ここでは、単に遊技を行う１人の遊技者によって行われる当該行為のほかに、例えば、直接的には遊技を行わない人間が、遊技を行っている遊技者のために行う当該行為も含む。
【００２３】
次に、枠部材１５０は、遊技者がハンドル１５１に触れてレバー１５２を時計方向に回転させる操作を行うとその操作角度に応じた打球力にて遊技球を所定の時間間隔（例えば１分間に１００個）で電動発射する遊技球発射装置（不図示）を備えている。また、枠部材１５０は、遊技者のレバー１５２による操作と連動したタイミングで遊技球発射装置に遊技球を１つずつ順に供給する供給装置（不図示）と、供給装置が遊技球発射装置に供給する遊技球を一時的に溜めておく皿１５３（図２参照）と、を備えている。この皿１５３には、例えば払い出しユニットによる払出球が払い出される。
なお、本実施の形態では、皿１５３を上下皿一体で構成しているが、上皿と下皿とを分離する構成例も考えられる。また、遊技球発射装置のハンドル１５１を所定条件下で発光させる構成例も考えられる。
【００２４】
また、枠部材１５０は、遊技球発射装置のハンドル１５１に遊技者が触れている状態であっても遊技球の発射を一時的に停止させるための停止ボタン１５４と、皿１５３に溜まっている遊技球を箱（不図示）に落下させて取り出すための取り出しボタン１５５と、を備えている。
また、枠部材１５０は、パチンコ遊技機１００の遊技状態や状況を告知したり各種の演出を行ったりするスピーカ１５６および枠ランプ１５７を備えている。スピーカ１５６は、楽曲や音声、効果音による各種の演出を行い、また、枠ランプ１５７は、点灯点滅によるパターンや発光色の違い等で光による各種の演出を行う。なお、枠ランプ１５７については、光の照射方向を変更する演出を行うことを可能にする構成例が考えられる。
また、枠部材１５０は、遊技盤１１０を遊技者と隔てるための透明板（不図示）を備えている。
【００２５】
図２は、本実施の形態に係るパチンコ遊技機１００を説明する図であり、（ａ）は、遊技盤１１０の右下に配置された表示器１３０の一例を示す拡大図であり、（ｂ）は、パチンコ遊技機１００の部分平面図である。
パチンコ遊技機１００の表示器１３０は、図２（ａ）に示すように、第１始動口１２１の入賞に対応して作動する第１特別図柄表示器２２１と、第２始動口１２２の入賞に対応して作動する第２特別図柄表示器２２２と、ゲート１２４の通過に対応して作動する普通図柄表示器２２３と、を備えている。第１特別図柄表示器２２１は、第１始動口１２１の入賞による特別図柄を変動表示しその抽選結果を表示する。第２特別図柄表示器２２２は、第２始動口１２２の入賞による特別図柄を変動表示しその抽選結果を表示する。普通図柄表示器２２３は、遊技球がゲート１２４を通過することにより普通図柄を変動表示しその抽選結果を表示する。第１特別図柄表示器２２１、第２特別図柄表示器２２２および普通図柄表示器２２３の各々は、ＬＥＤ表示装置で構成され、その点灯態様によって各抽選結果を表す図柄が表示される。
【００２６】
また、表示器１３０は、第１特別図柄表示器２２１での保留に対応して作動する第１特別図柄保留表示器２１８と、第２特別図柄表示器２２２での保留に対応して作動する第２特別図柄保留表示器２１９と、普通図柄表示器２２３での保留に対応して作動する普通図柄保留表示器２２０と、を備えている。第１特別図柄保留表示器２１８、第２特別図柄保留表示器２１９および普通図柄保留表示器２２０の各々は、ＬＥＤ表示装置で構成され、その点灯態様によって保留数が表示される。
【００２７】
ここで、保留について説明する。特別図柄や普通図柄の変動表示動作中（入賞１回分の変動表示が行なわれている間）にさらに他の遊技球による入賞があると、その入賞した遊技球に対する図柄の変動表示動作は、先に入賞した遊技球に対する変動表示動作が終了するまで、規定個数（例えば４個）を限度に保留される。このような保留がなされていることおよびその保留の数（未抽選数）が、第１特別図柄保留表示器２１８、第２特別図柄保留表示器２１９および普通図柄保留表示器２２０に表示される。
【００２８】
パチンコ遊技機１００の枠部材１５０は、遊技者が演出に対する入力を行うための入力装置（操作手段）を備えている。図２（ｂ）に示すように、本実施の形態では、入力装置（操作手段）の一例として、演出ボタン１６１と、演出ボタン１６１に隣接し、略十字に配列された複数のキーからなる演出キー１６２と、が枠部材１５０に配置されている。演出キー１６２は、その中央に１つの中央キーを配置し、また、中央キーの周囲に略同一形状の４つの周囲キーを配置して構成されている。遊技者は、４つの周囲キーを操作することにより、画像表示部１１４に表示されている複数の画像のいずれかを選ぶことが可能であり、また、中央キーを操作することにより、選んだ画像を情報として入力することが可能である。
【００２９】
〔制御ユニットの構成〕
次に、パチンコ遊技機１００での動作制御や信号処理を行う制御ユニットについて説明する。
図３は、制御ユニットの内部構成を示すブロック図である。図３に示すように、制御ユニットは、メイン制御手段として、内部抽選および当選の判定等といった払い出す賞球数に関する各種制御や、不正行為に関する監視処理等を行う遊技制御部２００を備えている。また、サブ制御手段として、演出を統括的に制御する演出実行手段の一例としての演出制御部３００と、画像および音響を用いた演出を制御する画像／音響制御部３１０と、各種のランプおよび可動役物１１５を用いた演出を制御するランプ制御部３２０と、払出球の払い出し制御を行う払出制御部４００と、を備えている。
【００３０】
前述したように、遊技制御部２００、演出制御部３００、画像／音響制御部３１０、ランプ制御部３２０、および払出制御部４００各々は、遊技盤１１０の後面に配置されたメイン基板としての遊技制御基板、サブ基板としての演出制御基板、画像制御基板、ランプ制御基板、および払出制御基板において個別に構成されている。
【００３１】
〔遊技制御部の構成・機能〕
遊技制御部２００は、内部抽選および当選の判定等といった払い出し賞球数に関連する各種制御や、不正行為に関する監視処理等を行う際の演算処理を行うＣＰＵ２０１と、ＣＰＵ２０１にて実行されるプログラムや各種データ等が記憶されたＲＯＭ２０２と、ＣＰＵ２０１の作業用メモリ等として用いられるＲＡＭ２０３と、を備えている。
遊技制御部２００は、第１始動口１２１または第２始動口１２２に遊技球が入賞すると特別図柄抽選を行い、特別図柄抽選での当選か否かの判定結果を演出制御部３００に送る。また、特別図柄抽選時の当選確率の変動設定（例えば３００分の１から３０分の１への変動設定）、特別図柄抽選時の特別図柄変動時間の短縮設定、および普通図柄抽選時の普通図柄変動時間の短縮設定を行い、設定内容を演出制御部３００に送る。
さらに、遊技制御部２００は、電動チューリップ１２３の羽根の開時間の延長、および電動チューリップ１２３の羽根が開く回数の設定、さらには羽根が開く際の開閉動作間隔の設定を制御する。また、遊技球が連続的に第１始動口１２１または第２始動口１２２へ入賞したときの未抽選分の限度個数（例えば４個）までの保留や、遊技球が連続的にゲート１２４を通過したときの未抽選分の限度個数（例えば４個）までの保留を設定する。
また、遊技制御部２００は、特別図柄抽選の結果に応じて、大入賞口１２５が所定条件（例えば３０秒経過または遊技球１０個の入賞）を満たすまで開状態を維持するラウンドを所定回数だけ繰り返すように制御する。さらには、大入賞口１２５が開く際の開閉動作間隔を制御する。
【００３２】
さらに、遊技制御部２００は、第１始動口１２１、第２始動口１２２、大入賞口１２５、右普通入賞口１２６ａ、または左普通入賞口１２６ｂに遊技球が入賞すると、遊技球が入賞した場所に応じて１つの遊技球当たり所定数の賞球を払い出すように、払出制御部４００に対する指示を行う。例えば、第１始動口１２１に遊技球が入賞すると３個の賞球、第２始動口１２２に遊技球が入賞すると４個の賞球、大入賞口１２５に遊技球が入賞すると１３個の賞球、右普通入賞口１２６ａまたは左普通入賞口１２６ｂに遊技球が入賞すると１０個の賞球をそれぞれ払い出すように、払出制御部４００に指示命令（コマンド）を送る。なお、ゲート１２４を遊技球が通過したことを検出しても、それに連動した賞球の払い出しは払出制御部４００に指示しない。
払出制御部４００が遊技制御部２００の指示に従って賞球の払い出しを行った場合には、遊技制御部２００は、払い出した賞球の個数に関する情報を払出制御部４００から取得する。それにより、払い出した賞球の個数を管理する。
【００３３】
遊技制御部２００には、図２に示すように、第１始動口１２１への遊技球の入賞を検出する第１始動口検出部（第１始動口スイッチ（ＳＷ））２１１と、第２始動口１２２への遊技球の入賞を検出する第２始動口検出部（第２始動口スイッチ（ＳＷ））２１２と、電動チューリップ１２３を開閉する電動チューリップ開閉部２１３と、ゲート１２４への遊技球の通過を検出するゲート検出部（ゲートスイッチ（ＳＷ））２１４と、が接続されている。
さらに、遊技制御部２００には、大入賞口１２５への遊技球の入賞を検出する大入賞口検出部（大入賞口スイッチ（ＳＷ））２１５と、大入賞口１２５を閉状態と突出傾斜した開状態とに設定する大入賞口開閉部２１６と、右普通入賞口１２６ａへの遊技球の入賞を検出する右普通入賞口検出部（右普通入賞口スイッチ（ＳＷ））２１７ａと、左普通入賞口１２６ｂへの遊技球の入賞を検出する左普通入賞口検出部（左普通入賞口スイッチ（ＳＷ））２１７ｂと、が接続されている。
【００３４】
また、遊技制御部２００には、第１始動口１２１への遊技球の入賞により始動した特別図柄抽選（大当たり抽選）の未抽選分の保留個数を限度個数内（例えば４個）で表示する第１特別図柄保留表示器２１８と、第２始動口１２２への遊技球の入賞により始動した特別図柄抽選の未抽選分の保留個数を限度個数内で表示する第２特別図柄保留表示器２１９と、ゲート１２４への遊技球の通過により始動した普通図柄抽選（開閉抽選）が始動する未抽選分の保留個数を限度個数内で表示する普通図柄保留表示器２２０と、が接続されている。
さらに、遊技制御部２００には、第１始動口１２１への遊技球の入賞により始動した特別図柄抽選の結果を表示する第１特別図柄表示器２２１と、第２始動口１２２への遊技球の入賞により始動した特別図柄抽選の結果を表示する第２特別図柄表示器２２２と、普通図柄抽選の結果を表示する普通図柄表示器２２３と、パチンコ遊技機１００の状態を表示する状態表示器２２４と、が接続されている。
【００３５】
加えて、遊技制御部２００には、検出部として、ゲート１２４の上部位置にて磁石等の磁界発生体からの磁気（磁界）を検出する第１磁気検出部（第１磁気検出スイッチ（ＳＷ））１７１と、電動チューリップ１２３の近傍位置にて磁界発生体からの磁気を検出する第２磁気検出部（第２磁気検出スイッチ（ＳＷ））１７２と、大入賞口１２５の近傍位置にて磁界発生体からの磁気を検出する第３磁気検出部（第３磁気検出スイッチ（ＳＷ））１７３と、が接続されている。
【００３６】
そして、第１始動口スイッチ２１１、第２始動口スイッチ２１２、ゲートスイッチ２１４、大入賞口スイッチ２１５、普通入賞口スイッチ２１７、右普通入賞口１２６ａ、および左普通入賞口１２６ｂにて検出された検出信号が、遊技制御部２００に送られる。また、遊技制御部２００からの制御信号が、電動チューリップ開閉部２１３、大入賞口開閉部２１６、第１特別図柄保留表示器２１８、第２特別図柄保留表示器２１９、普通図柄保留表示器２２０、第１特別図柄表示器２２１、第２特別図柄表示器２２２、普通図柄表示器２２３および状態表示器２２４に送られる。それにより、遊技制御部２００は、上記した払い出し賞球数に関連する各種制御を行う。
また、第１磁気検出ＳＷ１７１、第２磁気検出ＳＷ１７２、および第３磁気検出ＳＷ１７３にて検出された磁気検出信号が、遊技制御部２００に送られる。それにより、遊技制御部２００は、遊技者による磁界発生体（磁石等）を用いた不正行為を認識し、不正行為に対応させた所定の警告処理を制御する。
【００３７】
さらに、遊技制御部２００には、ホールに設置されたホストコンピュータ（不図示）に対して各種の情報を送信する盤用外部情報端子基板２５０が接続されている。そして、遊技制御部２００は、払出制御部４００から取得した払い出した賞球数に関する情報や遊技制御部２００の状態等を示す情報を、盤用外部情報端子基板２５０を介してホストコンピュータに送信する。
【００３８】
〔演出制御部の構成・機能〕
次に、演出制御部３００は、演出を制御する際の演算処理を行うＣＰＵ３０１と、ＣＰＵ３０１にて実行されるプログラムや各種データ等が記憶されたＲＯＭ３０２と、ＣＰＵ３０１の作業用メモリ等として用いられるＲＡＭ３０３と、日時を計測するリアルタイムクロック（ＲＴＣ）３０４と、を備えている。
演出制御部３００は、例えば遊技制御部２００から送られる特別図柄抽選での当選か否かの判定結果に基づいて、演出内容を設定する。その際、演出ボタン等を用いたユーザからの操作入力を受けて、操作入力に応じた演出内容を設定する場合もある。また、遊技が所定期間中断された場合には、演出の一つとして客待ち用の画面表示の設定を指示する。
さらには、遊技制御部２００が特別図柄抽選時の当選確率を変動させた場合、特別図柄抽選時の特別図柄変動時間を短縮させた場合、および普通図柄抽選時の普通図柄変動時間を短縮させた場合には、演出制御部３００は設定された内容に対応させて演出内容を設定する。
また、演出制御部３００は、設定した演出内容の実行を指示するコマンドを画像／音響制御部３１０およびランプ制御部３２０に送る。
【００３９】
〔画像／音響制御部の構成・機能〕
画像／音響制御部３１０は、演出内容を表現する画像および音響を制御する際の演算処理を行うＣＰＵ３１１と、ＣＰＵ３１１にて実行されるプログラムや各種データ等が記憶されたＲＯＭ３１２と、ＣＰＵ３１１の作業用メモリ等として用いられるＲＡＭ３１３と、を備えている。
そして、画像／音響制御部３１０は、演出制御部３００から送られたコマンドに基づいて、画像表示部１１４に表示する画像およびスピーカ１５６から出力する音響を制御する。
【００４０】
〔ランプ制御部の構成・機能〕
ランプ制御部３２０は、盤ランプ１１６や枠ランプ１５７の発光、および可動役物１１５の動作を制御する際の演算処理を行うＣＰＵ３２１と、ＣＰＵ３２１にて実行されるプログラムや各種データ等が記憶されたＲＯＭ３２２と、ＣＰＵ３２１の作業用メモリ等として用いられるＲＡＭ３２３と、を備えている。
そして、ランプ制御部３２０は、演出制御部３００から送られたコマンドに基づいて、盤ランプ１１６や枠ランプ１５７の点灯／点滅や発光色等を制御する。また、可動役物１１５の動作を制御する。
【００４１】
〔払出制御部の構成・機能〕
払出制御部４００は、払出球の払い出しを制御する際の演算処理を行うＣＰＵ４０１と、ＣＰＵ４０１にて実行されるプログラムや各種データ等が記憶されたＲＯＭ４０２と、ＣＰＵ４０１の作業用メモリ等として用いられるＲＡＭ４０３と、を備えている。
そして、払出制御部４００は、遊技制御部２００から送られたコマンドに基づいて、払出球の払い出しを制御する。
また、払出制御部４００には、払出駆動部４１１により遊技球の貯留部から実際に払い出された賞球の数を検出する払出球検出部４１２と、貯留部（不図示）での遊技球の貯留の有無を検出する球有り検出部４１３と、遊技者が遊技する際に使用する遊技球や払い出された賞球が保持される皿１５３が満タン状態に有るか否かを検出する満タン検出部４１４と、が接続されている。そして、払出制御部４００は、払出球検出部４１２、球有り検出部４１３および満タン検出部４１４にて検出された検出信号を受け取り、これらの検出信号に応じた所定の処理を行う。
さらに、払出制御部４００には、ホールに設置されたホストコンピュータに対して各種の情報を送信する枠用外部情報端子基板４５０が接続されている。そして、払出制御部４００は、例えば払出駆動部４１１に対して払い出すように指示した賞球数に関する情報や払出球検出部４１２にて検出された実際に払い出された賞球数に関する情報等を枠用外部情報端子基板４５０を介してホストコンピュータに送信する。また、遊技制御部２００に対しても、同様の情報を送信する。
【００４２】
〔遊技制御部の機能構成〕
続いて、遊技制御部２００の機能構成を説明する。
図４は、遊技制御部２００の機能構成を示すブロック図である。図４に示すように、遊技制御部２００は、各種抽選処理を実行する機能部として、特別図柄抽選部２３１と、普通図柄抽選部２３２と、特別図柄変動制御部２３３と、特別図柄抽選結果判定部２３４と、普通図柄制御部２３７と、を備えている。
また、遊技制御部２００は、特別図柄変動に伴う処理を実行する機能部として、変動パターン選択部２３５と、遊技進行制御部２３６と、を備えている。
さらに、遊技制御部２００は、各種役物の動作制御や賞球等に関するデータ処理を実行する機能部として、大入賞口動作制御部２３８と、電動チューリップ動作制御部２３９と、賞球処理部２４０と、出力制御部２４１と、乱数制御部２４２と、を備えている。
また、遊技制御部２００は、遊技者による例えば磁石等の磁界発生体を用いた不正行為を監視し、かかる不正行為に対応させた所定の警告処理を実行する機能部として、監視手段の一例としての不正行為監視部２４３を備えている。したがって、ここでは遊技制御部２００自身も監視手段として機能することとなる。
【００４３】
特別図柄抽選部２３１は、第１始動口１２１や第２始動口１２２に遊技球が入賞した場合に、特別図柄の抽選を行う。
普通図柄抽選部２３２は、ゲート１２４を遊技球が通過した場合に、普通図柄抽選を行う。
特別図柄変動制御部２３３は、特別図柄の抽選が行われた場合に、その抽選結果に応じて特別図柄の変動を制御する。
【００４４】
特別図柄抽選結果判定部２３４は、特別図柄の抽選が行われた場合に、その抽選結果が「大当たりか否か」、「大当たりに当選した場合の大当たりの種類」、「大当たりに当選していない場合での小当たりかはずれか」を判定する。
ここで、「大当たり」は、大当たり遊技の終了後に発生する遊技状態に応じて複数の種類に分けられる。具体的には、特別図柄の変動時間が短縮される時短遊技状態の有無および大当たりの当選確率が高確率に変動した確変遊技状態の有無の組み合わせによって大当たりの種類が決まる。すなわち、大当たりの種類としては、大当たり遊技の終了後に、時短遊技状態および確変遊技状態の両方が発生する大当たり、時短遊技状態のみが発生する大当たり、確変遊技状態のみが発生する大当たり、時短遊技状態および確変遊技状態のいずれも発生しない大当たりが有り得る。以下、これらの大当たりを区別する場合は、大当たり遊技の終了後に発生する遊技状態に基づき、「時短有り」、「時短無し」、「確変有り」、「確変無し」等と記載して区別する。これらの大当たりは、各々個別の特別図柄に対応付けられており、特別図柄抽選において当選した特別図柄の種類に応じて大当たりの種類が確定する。
【００４５】
また、「大当たり」は、大当たり遊技の時間が長く多量の遊技球の払い出しが期待できる大当たりと、大当たり遊技の時間が短く遊技球の払出がほとんど期待できない大当たりとに分けられる場合がある。前者は「長当たり」と呼ばれ、後者は「短当たり」と呼ばれる。例えば、「長当たり」では、大入賞口１２５の開状態が所定条件（例えば一定時間経過または一定個数の遊技球の入賞）を満たすまで維持されるラウンドが所定回数繰り返される。また、「短当たり」では、一定時間だけ大入賞口１２５が開状態となるラウンドが所定回数繰り返される。通常、大当たり遊技の終了後に時短遊技状態が発生する（時短有り）大当たりは長当たりとなり、時短遊技状態が発生しない（時短無し）大当たりは短当たりとなる。
【００４６】
なお、大当たり遊技の終了後に確変遊技状態が発生する（確変有り）大当たりは「確変大当たり」とも呼ばれ、確変遊技状態が発生しない（確変無し）大当たりは「通常大当たり」とも呼ばれる。また、遊技の態様によっては、大当たり遊技の終了後に確変遊技状態のみが発生し、時短遊技状態が発生しない（確変有り＋時短無し）大当たりは「潜伏確変大当たり」、「突然確変（突確）大当たり」等とも呼ばれる。さらに、「確変大当たり」において、大入賞口１２５が開状態となるラウンド数に基づき、「１５ラウンド（１５Ｒ）確変大当たり」、「２ラウンド（２Ｒ）確変大当たり」等のように区別される場合もある。
【００４７】
また、大当たりに当選していない場合の「小当たり」は、例えば大入賞口１２５の開閉が所定回数行われる小当たり遊技が行われ、終了した後においても小当たり当選時の遊技状態を継続する当たりである。すなわち、小当たり当選時の遊技状態が確変遊技状態である場合には、小当たり遊技の終了後においても確変遊技状態が継続され、遊技状態は移行しない。同様に、小当たりの当選時の遊技状態が確率変動も時間短縮もしていない通常の遊技状態（通常遊技状態）である場合には、小当たり遊技の終了後においても通常遊技状態が継続され、遊技状態は移行しない。
また、「はずれ」では、「大当たり」でも「小当たり」でもなく、遊技者に有利となる上記の遊技状態の何れも設定されない。
【００４８】
変動パターン選択部２３５は、特別図柄の抽選結果が「大当たり」であった場合に、第１特別図柄表示器２２１や第２特別図柄表示器２２２にて表示する特別図柄の変動パターン（変動時間）を選択する。また、「リーチ演出を行うか否か」を判定する。ここでの「リーチ演出」とは、遊技者に大当たりを期待させるための画像表示部１１４等にて行われる演出である。
遊技進行制御部２３６は、各遊技状態において遊技の進行を制御する。
【００４９】
普通図柄制御部２３７は、普通図柄の抽選が行われた場合に、普通図柄の抽選結果が「当選かはずれであるか」を判定する。また、その抽選結果に応じて普通図柄の変動を制御する。この普通図柄抽選の当選確率は、主に時短遊技状態において行われる、電動チューリップ１２３の開放による第２始動口１２２への入賞サポート（いわゆる電チューサポート）がある場合には高くなる。
「当選」と判定された場合には、電動チューリップ１２３を規定時間および規定回数だけ開放し、第２始動口１２２への遊技球の入賞確率が高まる状態を発生させる。上記の入賞サポート（電チューサポート）時には、この規定回数や規定時間が増える。また、「はずれ」と判定された場合には、電動チューリップ１２３のこのような開放状態は発生しない。
【００５０】
大入賞口動作制御部２３８は、大入賞口１２５の開放動作を制御する。
電動チューリップ動作制御部２３９は、電動チューリップ１２３の開放動作を制御する。
賞球処理部２４０は、入賞や抽選に関する種々の役物への入賞個数の管理および入賞に応じた賞球の払い出しを制御する。
出力制御部２４１は、遊技制御部２００から演出制御部３００および払出制御部４００へ制御用コマンドの出力を制御する。
乱数制御部２４２は、メイン制御手段やサブ制御手段による処理で用いられる各種の乱数値の更新を制御する。
【００５１】
不正行為監視部２４３は、第１磁気検出ＳＷ１７１、第２磁気検出ＳＷ１７２、および第３磁気検出ＳＷ１７３の何れか一または複数からの磁気検出信号を受信した場合に、不正行為を警告するために実行する警告動作を制御する。ここでの「警告動作」には、パチンコ遊技機１００に設けられた盤ランプ１１６や枠ランプ１５７の発光や可動役物１１５の動作、画像表示部１１４での「不正行為」の文字または「！！」の記号や図形による表示等といった視覚による警告動作、遊技機のスピーカ１５６からの警報音等の聴覚による警告動作、さらには、パチンコ遊技機１００を構成する各部（例えば、パチンコ遊技機１００における遊技球発射装置や球払出装置等）の作動を規制する規制動作、遊技施設の管理室に対して警報を送信する警報送信動作等を含む。
【００５２】
〔パチンコ遊技機の基本動作〕
次に、上記のように構成されたパチンコ遊技機１００の基本動作を説明する。
パチンコ遊技機１００の基本的な動作は、メイン制御手段である遊技制御部２００により行われる。そして、この遊技制御部２００の制御の下、サブ制御手段である演出制御部３００により遊技上の演出の制御が行われ、払出制御部４００により賞球の払い出しの制御が行われる。
【００５３】
図５は、遊技制御部２００の主要動作を示すフローチャートである。
遊技制御部２００は、電源投入時や電源断時等の特殊な場合を除く通常の動作時において、図５に示す各処理を一定時間（例えば４ミリ秒）ごとに繰り返し実行する。図５を参照すると、乱数更新処理、スイッチ処理、図柄処理、電動役物処理、賞球処理、警告処理、出力処理が順次実行される（ステップ５０１〜５０７）。
【００５４】
乱数更新処理（ステップ５０１）においては、遊技制御部２００の乱数制御部２４２がメイン制御手段やサブ制御手段による処理で用いられる各種の乱数の値を更新する。
スイッチ処理（ステップ５０２）においては、始動口スイッチ処理、ゲートスイッチ処理が行われる。
始動口スイッチ処理では、遊技制御部２００の特別図柄抽選部２３１が上記図２の第１始動口スイッチ２１１および第２始動口スイッチ２１２の状態を監視し、スイッチがＯＮとなった場合に、特別図柄抽選のための処理を実行する。
ゲートスイッチ処理では、遊技制御部２００の普通図柄抽選部２３２が上記図２のゲートスイッチ２１４の状態を監視し、スイッチがＯＮとなった場合に、普通図柄抽選のための処理を実行する。
【００５５】
図柄処理（ステップ５０３）においては、特別図柄処理、および普通図柄処理が行われる。
特別図柄処理では、遊技制御部２００の特別図柄変動制御部２３３、特別図柄抽選結果判定部２３４、変動パターン選択部２３５、および遊技進行制御部２３６により、特別図柄変動およびこの図柄変動に伴う処理が行われる。
普通図柄処理では、遊技制御部２００の普通図柄制御部２３７により、普通図柄変動およびこの図柄変動に伴う処理が行われる。
【００５６】
電動役物処理（ステップ５０４）においては、大入賞口処理、電動チューリップ処理が行われる。
大入賞口処理では、遊技制御部２００の大入賞口動作制御部２３８が所定の条件に基づいて大入賞口１２５の開放動作を制御する。
電動チューリップ処理では、遊技制御部２００の電動チューリップ動作制御部２３９が所定の条件に基づいて電動チューリップ１２３の開放動作を制御する。
【００５７】
賞球処理（ステップ５０５）においては、遊技制御部２００の賞球処理部２４０が入賞個数の管理および入賞に応じた賞球の払い出しを制御する。
警告処理（ステップ５０６）においては、遊技制御部２００の不正行為監視部２４３が第１磁気検出ＳＷ１７１、第２磁気検出ＳＷ１７２、および第３磁気検出ＳＷ１７３の状態を監視し、何れかのスイッチがＯＮとなった場合（磁気検出信号が出力された場合）に、所定の警告動作を制御する。例えば、第１磁気検出ＳＷ１７１、第２磁気検出ＳＷ１７２、および第３磁気検出ＳＷ１７３の何れかがＯＮとなることにより、遊技制御部２００から演出制御部３００に対し、盤ランプ１１６や枠ランプ１５７を所定のパターンで点滅させるためのコマンドを出力する。
出力処理（ステップ５０７）においては、遊技制御部２００の出力制御部２４１が演出制御部３００および払出制御部４００へ制御用コマンドを出力する。制御用コマンドは、ステップ５０５までの各処理において生成され、ＲＡＭ２０３にセットされており、この出力処理で出力される。
【００５８】
〔遊技制御部と各種機能部との間の配線構成〕
図６は、遊技制御部２００と各種機能部との間の配線構成の一部を説明する図である。図６に示すように、第１始動口ＳＷ２１１および第２始動口ＳＷ２１２は、第１始動口ＳＷ２１１側の端子Ｉ１,Ｉ２がコネクタ２６１を介して遊技制御部２００側の端子Ｓ１,Ｓ２に接続され、第２始動口ＳＷ２１２側の端子Ｏ１,Ｏ２がコネクタ２６２を介して遊技制御部２００側の端子Ｔ１,Ｔ２に接続されることで、遊技制御部２００に接続されている。
【００５９】
電動チューリップ開閉部２１３、ゲートＳＷ２１４、第１磁気検出ＳＷ１７１、右普通入賞口ＳＷ２１７ａ、左普通入賞口ＳＷ２１７ｂ、第２磁気検出ＳＷ１７２、および第３磁気検出ＳＷ１７３は、それぞれの端子Ａ１,Ａ２,…,Ｇ２,Ｇ３が第１中継端子板２３０に接続されている。また、大入賞口１２５内にて左右に配置された一対の検出部（右大入賞口ＳＷ２１５ａおよび左大入賞口ＳＷ２１５ｂ）からなる大入賞口ＳＷ２１５および大入賞口開閉部２１６は、それぞれの端子Ｋ１,Ｋ２,…,Ｍ２が第２中継端子板２７０に接続されている。この第２中継端子板２７０は、大入賞口ＳＷ２１５からの信号端子、大入賞口開閉部２１６への信号端子、大入賞口開閉部２１６への１５Ｖの電力供給端子、および接地（ＧＮＤ）端子からなる端子Ｊ１,…,Ｊ５がハーネス２６５に接続され、ハーネス２６５の他端が第１中継端子板２３０側の端子Ｈ１,…,Ｈ５にそれぞれ接続されている。
そして、第１中継端子板２３０は、電動チューリップ開閉部２１３および大入賞口開閉部２１６への信号端子、ゲートＳＷ２１４、第１磁気検出ＳＷ１７１、右普通入賞口ＳＷ２１７ａ、左普通入賞口ＳＷ２１７ｂ、第２磁気検出ＳＷ１７２、第３磁気検出ＳＷ１７３、および大入賞口ＳＷ２１５からの信号端子、５Ｖ,１５Ｖの電力供給端子、および接地（ＧＮＤ）端子からなる端子Ｎ１,…,Ｎ１４がハーネス２６３に接続され、ハーネス２６３の他端に構成された端子Ｐ１,…,Ｐ１４がコネクタ２６４を介して遊技制御部２００側の端子Ｑ１,…,Ｑ１４にそれぞれ接続されている。
【００６０】
ここで、ハーネス２６３は、第１磁気検出ＳＷ１７１、第２磁気検出ＳＷ１７２、および第３磁気検出ＳＷ１７３各々に接続された信号線を含む複数の信号線が一まとまりに構成された信号線群である。このように、ハーネス２６３によって第１磁気検出ＳＷ１７１、第２磁気検出ＳＷ１７２、および第３磁気検出ＳＷ１７３各々に接続された信号線を一まとまりとして構成しておくことによって、ハーネス２６３の他端に構成されたコネクタ２６４を遊技制御部２００または検査装置５００（後段図８参照）に接続させるだけで、第１磁気検出ＳＷ１７１、第２磁気検出ＳＷ１７２、および第３磁気検出ＳＷ１７３各々は遊技制御部２００または検査装置５００に接続される。
【００６１】
このような配線構成により、第１始動口ＳＷ２１１、第２始動口ＳＷ２１２、電動チューリップ開閉部２１３、ゲートＳＷ２１４、第１磁気検出ＳＷ１７１、右普通入賞口ＳＷ２１７ａ、左普通入賞口ＳＷ２１７ｂ、第２磁気検出ＳＷ１７２、第３磁気検出ＳＷ１７３、大入賞口ＳＷ２１５、および大入賞口開閉部２１６は、遊技制御部２００と接続されている。
特に、第１磁気検出ＳＷ１７１は、第１中継端子板２３０において第１磁気検出ＳＷ１７１側の端子Ｃ３が信号線２３１を介して端子Ｎ５に接続されている。また、第２磁気検出ＳＷ１７２は、第１中継端子板２３０において第２磁気検出ＳＷ１７２側の端子Ｆ３が信号線２３２を介して端子Ｎ６に接続されている。また、第３磁気検出ＳＷ１７３は、第１中継端子板２３０において第３磁気検出ＳＷ１７３側の端子Ｇ３が信号線２３３を介して端子Ｎ７に接続されている。それにより、第１磁気検出ＳＷ１７１、第２磁気検出ＳＷ１７２、および第３磁気検出ＳＷ１７３からの信号（磁気検出信号）は、第１中継端子板２３０とハーネス２６３と端子Ｑ５,Ｑ６,Ｑ７とを介して、それぞれが個別に遊技制御部２００に入力されるように構成されている。
【００６２】
〔警告処理を実行する遊技制御部の回路構成〕
図７は、図５のステップ５０６に示した警告処理を実行する遊技制御部２００（不正行為監視部２４３）の回路構成を説明する図である。図７に示すように、遊技制御部２００では、第１中継端子板２３０（図６参照）およびハーネス２６３を介して、第１磁気検出ＳＷ１７１、第２磁気検出ＳＷ１７２、および第３磁気検出ＳＷ１７３からの信号（磁気検出信号）それぞれが、遊技制御部２００側の端子Ｑ５,Ｑ６,Ｑ７に個別に入力される。そして、遊技制御部２００は、端子Ｑ５,Ｑ６,Ｑ７から入力された第１磁気検出ＳＷ１７１、第２磁気検出ＳＷ１７２、および第３磁気検出ＳＷ１７３からの磁気検出信号を合成して合成信号を生成する合成回路２０５と、合成回路２０５から送られた磁気検出信号に対して例えば波形整形、チャタリングの除去等の処理を行うインターフェース回路２０２と、インターフェース回路２０２から送られた磁気検出信号に応じて所定の警告動作を制御するためのコマンドを生成し演出制御部３００に出力するＣＰＵ２０１と、を備えている。
【００６３】
上記したように、遊技者が不当に賞球を増やす不正行為を行うために磁界発生体（磁石等）を近づける遊技盤１１０面上の領域は、例えばゲート１２４の上部位置、電動チューリップ１２３の近傍位置、および大入賞口１２５の近傍位置といったように、複数箇所存在する。そのため、本実施の形態では、ゲート１２４の上部位置、電動チューリップ１２３の近傍位置、および大入賞口１２５の近傍位置に、それぞれ第１磁気検出ＳＷ１７１、第２磁気検出ＳＷ１７２、および第３磁気検出ＳＷ１７３を配置している。しかし、かかる不正行為を監視するに際しては、遊技盤１１０面の近傍に位置する磁界発生体の存在を検出することが重要であって、第１磁気検出ＳＷ１７１、第２磁気検出ＳＷ１７２、および第３磁気検出ＳＷ１７３の何れが磁界発生体の存在を検出したかを認識する必要はない。
【００６４】
そのため、ＣＰＵ２０１においては、第１磁気検出ＳＷ１７１、第２磁気検出ＳＷ１７２、および第３磁気検出ＳＷ１７３各々から個別に磁気検知信号を取得する必要はなく、第１磁気検出ＳＷ１７１、第２磁気検出ＳＷ１７２、および第３磁気検出ＳＷ１７３の何れかが磁気検知信号を出力した場合に、１つの信号線から磁気検知信号を取得できれば充分である。また、むしろその方が、ＣＰＵ２０１が磁気検知信号を受ける信号線が１つになって配線が簡素化され、１つの信号線から受け取る磁気検知信号に基づく信号処理を行えばよいので信号処理に要する負荷も低減される。そこで、本実施の形態の遊技制御部２００においては、合成回路２０５を設けて、第１磁気検出ＳＷ１７１、第２磁気検出ＳＷ１７２、および第３磁気検出ＳＷ１７３からの磁気検出信号を合成した後にＣＰＵ２０１に送信する構成を採用している。
【００６５】
ここで、合成回路２０５が行う「第１磁気検出ＳＷ１７１、第２磁気検出ＳＷ１７２、および第３磁気検出ＳＷ１７３からの磁気検出信号の合成」とは、例えば、第１磁気検出ＳＷ１７１、第２磁気検出ＳＷ１７２、および第３磁気検出ＳＷ１７３からの磁気検出信号の和を出力することをいう。それにより、第１磁気検出ＳＷ１７１、第２磁気検出ＳＷ１７２、および第３磁気検出ＳＷ１７３の何れかが磁気検出信号を出力することで、合成回路２０５からの出力は、第１磁気検出ＳＷ１７１、第２磁気検出ＳＷ１７２、および第３磁気検出ＳＷ１７３が何れも磁気検出信号を出力していない状態よりも信号レベルが増大または減少する。それにより、ＣＰＵ２０１は、第１磁気検出ＳＷ１７１、第２磁気検出ＳＷ１７２、および第３磁気検出ＳＷ１７３の何れかが磁界発生体の存在を検出したことを認識することができる。
したがって、ＣＰＵ２０１は、第１磁気検出ＳＷ１７１、第２磁気検出ＳＷ１７２、および第３磁気検出ＳＷ１７３の何れが遊技盤１１０面の近傍に位置する磁界発生体の存在を検出したかに拘わらず、第１磁気検出ＳＷ１７１、第２磁気検出ＳＷ１７２、および第３磁気検出ＳＷ１７３の何れかから磁気検出信号を受け取ったことにより、所定の警告動作を制御するためのコマンドを生成し演出制御部３００に出力することとなる。
【００６６】
〔遊技制御部に接続される各種機能部を検査する検査装置〕
次に、遊技制御部２００に接続される各種機能部（第１始動口ＳＷ２１１、第２始動口ＳＷ２１２、電動チューリップ開閉部２１３等）が正常に動作するかを検査する検査手段の一例としての検査装置５００について説明する。かかる検査装置５００は、パチンコ遊技機１００の製造工程において、遊技制御部２００に接続される各種機能部が正常に動作するか否かを検査するために用いられる。ここでは、特に、かかる検査装置５００において遊技者による賞球を増やす不正行為を監視するための第１磁気検出ＳＷ１７１、第２磁気検出ＳＷ１７２、および第３磁気検出ＳＷ１７３が正常に動作するか否かを検査する構成について説明する。
【００６７】
図８は、遊技制御部２００に接続される各種機能部が検査装置５００に接続された場合の、検査装置５００と各種機能部との間の配線構成の一部を説明する図である。図８に示したように、第１始動口ＳＷ２１１および第２始動口ＳＷ２１２は、第１始動口ＳＷ２１１側の端子Ｉ１,Ｉ２がコネクタ２６１を介して検査装置５００側の端子Ｒ１,Ｒ２に接続され、第２始動口ＳＷ２１２側の端子Ｏ１,Ｏ２がコネクタ２６２を介して検査装置５００側の端子Ｖ１,Ｖ２に接続されることで、検査装置５００に接続されている。
【００６８】
また、電動チューリップ開閉部２１３、ゲートＳＷ２１４、第１磁気検出ＳＷ１７１、右普通入賞口ＳＷ２１７ａ、左普通入賞口ＳＷ２１７ｂ、第２磁気検出ＳＷ１７２、第３磁気検出ＳＷ１７３、大入賞口ＳＷ２１５（右大入賞口ＳＷ２１５ａおよび左大入賞口ＳＷ２１５ｂ）、および大入賞口開閉部２１６は、遊技制御部２００との接続と同様に、第２中継端子板２７０、ハーネス２６５、第１中継端子板２３０、ハーネス２６３、およびコネクタ２６４を介して、検査装置５００側の端子Ｕ１,…,Ｕ１４にそれぞれ接続されている。すなわち、検査装置５００に接続される際には、図６に示したコネクタ２６１,２６２,２６４が遊技制御部２００に代えて検査装置５００側に接続される。
【００６９】
また、検査装置５００側においては、端子Ｒ１,Ｒ２が各種機能部に関する検査処理を制御する検査制御部６００の端子Ｘ１,Ｘ２に接続され、端子Ｖ１,Ｖ２が検査制御部６００の端子Ｙ１,Ｙ２に接続されている。さらに、端子Ｕ１,…,Ｕ１４が検査制御部６００の端子Ｚ１,…,Ｚ１４に接続されている。
このような配線構成により、第１始動口ＳＷ２１１、第２始動口ＳＷ２１２、電動チューリップ開閉部２１３、ゲートＳＷ２１４、第１磁気検出ＳＷ１７１、右普通入賞口ＳＷ２１７ａ、左普通入賞口ＳＷ２１７ｂ、第２磁気検出ＳＷ１７２、第３磁気検出ＳＷ１７３、大入賞口ＳＷ２１５、および大入賞口開閉部２１６は、検査装置５００の検査制御部６００と接続される。
なお、検査装置５００側に設けられる端子Ｕ１,…,Ｕ１４および端子Ｚ１,…,Ｚ１４の個数は、例えば遊技盤１１０に配置される磁気検出部の数が異なる複数のパチンコ遊技機１００に対応可能なように、磁気検出部からの信号を受け付ける端子の個数に関して４個以上に構成してもよい。
【００７０】
〔第１磁気検出ＳＷ〜第３磁気検出ＳＷを検査する検査装置の回路構成〕
図９は、第１磁気検出ＳＷ１７１、第２磁気検出ＳＷ１７２、および第３磁気検出ＳＷ１７３を検査するために用いる検査制御部６００内の回路構成を説明する図である。図９に示すように、検査装置５００の検査制御部６００では、第１中継端子板２３０（図８参照）およびハーネス２６３を介して、第１磁気検出ＳＷ１７１、第２磁気検出ＳＷ１７２、および第３磁気検出ＳＷ１７３からの信号（磁気検出信号）それぞれが、検査制御部６００側の端子Ｚ５,Ｚ６,Ｚ７に個別に入力される。そして、検査制御部６００は、端子Ｚ５,Ｚ６,Ｚ７を介して入力された第１磁気検出ＳＷ１７１、第２磁気検出ＳＷ１７２、および第３磁気検出ＳＷ１７３からの磁気検出信号に対して例えば波形整形、チャタリングの除去等の処理を行うインターフェース回路６０２と、インターフェース回路６０２から送られた磁気検出信号が正常なものか否かを検査するＣＰＵ６０１と、を備えている。
本実施の形態の検査制御部６００では、図９に示すように、インターフェース回路６０２から出力される第１磁気検出ＳＷ１７１、第２磁気検出ＳＷ１７２、および第３磁気検出ＳＷ１７３からの磁気検出信号は、それぞれ個別にＣＰＵ６０１に送られる。
【００７１】
上記したように、パチンコ遊技機１００がホールに設置され、実際に稼働している状態において不正行為を監視するに際しては、第１磁気検出ＳＷ１７１、第２磁気検出ＳＷ１７２、および第３磁気検出ＳＷ１７３の何れが磁界発生体の存在を検出したかを認識する必要はない。その一方で、第１磁気検出ＳＷ１７１、第２磁気検出ＳＷ１７２、および第３磁気検出ＳＷ１７３のすべてが確実に遊技盤１１０面の近傍に位置する磁界発生体の存在を検出することは重要である。そのために、検査装置５００においては、第１磁気検出ＳＷ１７１、第２磁気検出ＳＷ１７２、および第３磁気検出ＳＷ１７３各々を識別して検査する必要がある。すなわち、第１磁気検出ＳＷ１７１は正常であるか異常が生じているか、第２磁気検出ＳＷ１７２は正常であるか異常が生じているか、第３磁気検出ＳＷ１７３は正常であるか異常が生じているかを、それぞれ個別に認識する必要がある。そこで、本実施の形態の検査装置５００の検査制御部６００においては、第１磁気検出ＳＷ１７１、第２磁気検出ＳＷ１７２、および第３磁気検出ＳＷ１７３から出力される磁気検出信号をそれぞれ個別にＣＰＵ６０１に送信する構成を採用している。
【００７２】
したがって、検査制御部６００のＣＰＵ６０１は、第１磁気検出ＳＷ１７１、第２磁気検出ＳＷ１７２、および第３磁気検出ＳＷ１７３から出力される磁気検出信号をそれぞれ個別に受け取り、それぞれの磁気検出信号が正常なものか否かを判定することとなる。
【００７３】
このように、本実施の形態のパチンコ遊技機１００においては、パチンコ遊技機１００の遊技制御部２００および検査装置５００が、遊技者による不正行為を監視するための第１磁気検出ＳＷ１７１、第２磁気検出ＳＷ１７２、および第３磁気検出ＳＷ１７３から出力される磁気検出信号をそれぞれ個別に取得できるように配線を構成している。そして、パチンコ遊技機１００が実際に稼働している状態にて不正行為を監視する遊技制御部２００においては、第１磁気検出ＳＷ１７１、第２磁気検出ＳＷ１７２、および第３磁気検出ＳＷ１７３から個別に出力される磁気検出信号を１つに合成し、合成された１つの磁気検知信号を取得するように構成している。それにより、ＣＰＵ２０１が磁気検知信号を受ける信号線の配線構成を簡素化し、また磁気検知信号に基づく信号処理に要する負荷を低減している。
また、第１磁気検出ＳＷ１７１、第２磁気検出ＳＷ１７２、および第３磁気検出ＳＷ１７３を検査するために用いる検査装置５００では、検査制御部６００（ＣＰＵ６０１）が第１磁気検出ＳＷ１７１、第２磁気検出ＳＷ１７２、および第３磁気検出ＳＷ１７３から個別に出力される磁気検出信号をそのまま個別に扱っている。それにより、第１磁気検出ＳＷ１７１、第２磁気検出ＳＷ１７２、および第３磁気検出ＳＷ１７３それぞれが正常であるか異常であるかを個別に認識することを可能としている。
【００７４】
なお、上記した本実施の形態の構成は、パチンコ遊技機１００自体を揺らしたり、遊技盤１１０前面のガラス板を強く叩いたりすることで振動を与え、遊技球の落下移動に変化を与える不正行為を検出するための振動検出センサ等というように、遊技者による遊技に関する不正行為が行われたことを検出するための検出手段（例えば、センサ）に対しても適用できる。
【００７５】
また、本実施の形態では、検査手段の一例としての検査装置５００をパチンコ遊技機１００の外部に配置した構成を示した。このような構成の他に、検査手段をパチンコ遊技機１００の内部に配置する構成としてもよい。その場合には、ハーネス２６３を分岐させて第１磁気検出ＳＷ１７１、第２磁気検出ＳＷ１７２、および第３磁気検出ＳＷ１７３を監視手段（遊技制御部２００）および検査手段（検査装置５００）の双方に接続しておき、パチンコ遊技機１００の動作状態（ホールに設置されて稼働状態にある場合と、例えば工場での製造工程にある場合との双方を含む）に応じて、第１磁気検出ＳＷ１７１、第２磁気検出ＳＷ１７２、および第３磁気検出ＳＷ１７３からの磁気検出信号を監視手段または検査手段に対して選択的に出力させるように構成してもよい。ここでの出力先の選択は、電気的手段（ソフトウエアを用いる場合を含む）や機械的手段（切換スイッチ等）を用いて実行される。
【００７６】
さらには、検査手段（検査装置５００）は、第１磁気検出ＳＷ１７１、第２磁気検出ＳＷ１７２、および第３磁気検出ＳＷ１７３が正常であるか否かを自らが判断する機能を備える構成形態の他に、第１磁気検出ＳＷ１７１、第２磁気検出ＳＷ１７２、および第３磁気検出ＳＷ１７３が正常であるか否かを判断できる情報を検査者に提示する構成形態であってもよい。例えば、検査手段（検査装置５００）は、第１磁気検出ＳＷ１７１、第２磁気検出ＳＷ１７２、および第３磁気検出ＳＷ１７３の異常に応じて、それぞれに対応付けられた発光体（枠部材１５０に配置された枠ランプ１５７を用いてもよい）を点滅させる等の制御を行う構成であってもよい。
【００７７】
以上説明したように、本実施の形態のパチンコ遊技機１００では、遊技者による遊技に関する不正行為を監視するための第１磁気検出ＳＷ１７１、第２磁気検出ＳＷ１７２、および第３磁気検出ＳＷ１７３から出力される磁気検出信号をそれぞれ個別に取得できるように配線している。そして、不正行為を監視する遊技制御部２００においては、第１磁気検出ＳＷ１７１、第２磁気検出ＳＷ１７２、および第３磁気検出ＳＷ１７３からの磁気検出信号を合成することにより信号処理に要する負荷を軽減する構成を実現するとともに、検査装置５００においては、第１磁気検出ＳＷ１７１、第２磁気検出ＳＷ１７２、および第３磁気検出ＳＷ１７３それぞれが正常であるか異常であるかを個別に認識する構成を実現することが可能となった。
【符号の説明】
【００７８】
１００…パチンコ遊技機、１１６…盤ランプ、１２１…第１始動口、１２２…第２始動口、１２３…電動チューリップ、１２４…ゲート、１２５…大入賞口、１２６ａ…右普通入賞口、１２６ｂ…左普通入賞口、１７１…第１磁気検出スイッチ（ＳＷ）、１７２…第２磁気検出スイッチ（ＳＷ）、１７３…第３磁気検出スイッチ（ＳＷ）、１５７…枠ランプ、２００…遊技制御部、２０１,６０１…ＣＰＵ、２０２,６０２…インターフェース回路、２０５…合成回路、３００…演出制御部、５００…検査装置、６００…検査制御部
【図１】
2011172720.tif 000003
【図２】
2011172720.tif 000004
【図３】
2011172720.tif 000005
【図４】
2011172720.tif 000006
【図５】
2011172720.tif 000007
【図６】
2011172720.tif 000008
【図７】
2011172720.tif 000009
【図８】
2011172720.tif 000010
【図９】
2011172720.tif 000011